(57)【要約】【課題】野外の風景をリアルに表示するとともに、擬似窓扉の開閉による音の変化を再現して、確実に臨場感を得ることができる擬似窓及びこの擬似窓を有する壁を提供する。【解決手段】壁Ｂに設けた擬似窓枠１の開口部１ａを通じて画像表示装置４で表示した野外の風景画像を室内Ｃの体験者が見ることによって、体験者に実際の野外の風景を窓から眺めているような擬似体験をさせる擬似窓Ａであって、擬似窓枠１の開口部１ａを開閉する擬似窓扉２と、野外の風景画像に応じた野外の音を擬似的に発する音響発生装置６とを備えており、実際の窓扉の開閉に応じた音響透過損失の違いによって変化する野外から室内へ伝搬する音の音量及び音色を擬似的に再現するように、擬似窓扉２の開閉に応じて音響発生装置６から室内Ｃに伝搬する音の音量及び音色を変化させる。【選択図】図１
2008297803.tif 000002
【特許請求の範囲】
【請求項１】
壁に設けた擬似窓枠の開口部を通じて画像表示装置で表示した野外の風景画像を室内の体験者が見ることによって、前記体験者に実際の野外の風景を窓から眺めているような擬似体験をさせる擬似窓であって、
前記擬似窓枠の開口部を開閉する擬似窓扉と、前記野外の風景画像に応じた野外の音を擬似的に発する音響発生装置とを備えており、
実際の窓扉の開閉に応じた音響透過損失の違いによって変化する野外から室内へ伝搬する音の音量及び音色を擬似的に再現するように、前記擬似窓扉の開閉に応じて前記音響発生装置から前記室内に伝搬する音の音量及び音色を変化させることを特徴とする擬似窓。
【請求項２】
請求項１記載の擬似窓において、
前記擬似窓扉を閉じた状態で前記壁の裏側に向けて音を伝搬させ、前記擬似窓扉を開くとともに前記室内に向けて直接音を伝搬させるように、前記音響発生装置が前記擬似窓扉に取り付けられていることを特徴とする擬似窓。
【請求項３】
請求項１記載の擬似窓において、
前記擬似窓扉を閉じた状態で、実際の窓扉を閉じた状態における音響透過損失に応じた音の減衰特性を有するフィルタで音響信号を処理することによって、前記擬似窓扉を開いた状態に対し前記室内に伝搬する音の音量及び音色を変化させることを特徴とする擬似窓。
【請求項４】
請求項１から請求項３のいずれかに記載の擬似窓を備えたことを特徴とする擬似窓を有する壁。
【発明の詳細な説明】
【技術分野】
【０００１】
本発明は、例えば、工場、発電所等のプラントの中央制御室や会議室等の閉鎖性の高い室や野外の眺望が限定される居室などの壁に設けられる擬似窓及び擬似窓を有する壁に関する。
【背景技術】
【０００２】
従来、例えば、工場、発電所のプラントの中央制御室や会議室など、静粛性の確保や秘密漏洩に対する防御などを目的に窓を設けることができなかったり、物理的に窓を設けることができない地下室や日当たりの悪い部屋などの閉鎖性の高い室においては、壁に擬似窓を設置して室内の人間に心理的な悪影響が生じることを防止するようにしている。すなわち、この擬似窓に表示した野外の風景画像などを室内の人間（体験者）が見ることで、あたかも実際の窓越しに野外の風景を眺めているような擬似体験をさせることができ、これにより、閉鎖性の高い室内の人間に対し開放感や安らぎを与え、集中力の低下や眠気、くつろぎの不足などの心理的な悪影響を防止するようにしている。
【０００３】
この種の擬似窓には、例えば特許文献１に開示されるような、窓や風景を描いた擬似窓形成用フィルムを壁面に貼り付けて形成したものがある。また、例えば特許文献２に開示されるような、周縁部分を構成する窓枠部を木枠や金属枠で形成し、この窓枠部の開口部に、野外の風景などの動画像（あるいは静止画像）を表示する薄型で平面型の画像表示装置を保持させて構成したものがある。そして、擬似窓形成用フィルムで形成した擬似窓においては、室内の人間が常時変わらぬ静止画像を見ることになるため、違和感が生じやすく開放感や安らぎを与える効果が低いのに対し、画像表示装置で動画像を表示できる擬似窓においては、臨場感のある（よりリアルな）風景画像が表示されるため、大きな心理的効果を得ることができる。
【０００４】
一方、例えば特許文献３に開示されるような、組立窓枠に風景写真を組み込み、組立窓枠を嵌め込む窓外枠の一部に、音声スイッチ並びに芳香スイッチ、及び数個の色彩別にスイッチを有する発光体を配置して構成したものもある。この擬似窓においては、野外の風景が静止画像で表示されることになるが、森林浴の芳香の放出、小鳥のさえずりあるいは小川のせせらぎ等の音響及び、景色に即した色彩照明等によって、自然に近いリアルな情景を浮き出させることができ、これにより、室内の人間に対する心理的効果を高めることを可能にしている。また、特許文献３の第３図に示されるように、擬似窓扉を設けることで、より実際の窓に近づけ、心理的効果を高めることができる。
【特許文献１】特開２００３−７４１７７号公報
【特許文献２】特開平９−２０５６０２号公報
【特許文献３】実用新案登録第３０６９７６０号公報
【発明の開示】
【発明が解決しようとする課題】
【０００５】
しかしながら、上記の特許文献２に開示された薄型の表示装置を備えた擬似窓においては、動画像で野外の風景などを表示できるが、特に音響による臨場感を感じることができないため、やはり十分な効果を得ることができないという問題があった。
【０００６】
また、特許文献２に開示された擬似窓に、特許文献３に開示された擬似窓が備える音声スイッチ（音響発生装置）や擬似窓扉などを適用して、リアルな画像に加え、この画像に応じた小鳥のさえずりあるいは小川のせせらぎ等の音響を室内の人間に体験させるようにした場合においても、実際の窓では、窓扉を開くと、直接野外の音が室内に伝搬して広がり、野外に繋がる鮮明な音場が室内に形成され、窓扉を閉じた状態では、野外の音が窓枠や窓扉を透過して室内に伝搬することで音響透過損失に応じた音圧レベルの減衰が生じるのに対し、単に室内側に音場を形成するだけであるため、窓扉の開閉に伴い変化する音の変化を再現することができず、十分な臨場感を得ることができないという問題があった。
【０００７】
本発明は、上記事情に鑑み、野外の風景をリアルに表示するとともに、擬似窓扉の開閉による音の変化を再現して、確実に臨場感を得ることができる擬似窓及びこの擬似窓を有する壁を提供することを目的とする。
【課題を解決するための手段】
【０００８】
上記の目的を達するために、この発明は以下の手段を提供している。
【０００９】
本発明の擬似窓は、壁に設けた擬似窓枠の開口部を通じて画像表示装置で表示した野外の風景画像を室内の体験者が見ることによって、前記体験者に実際の野外の風景を窓から眺めているような擬似体験をさせる擬似窓であって、前記擬似窓枠の開口部を開閉する擬似窓扉と、前記野外の風景画像に応じた野外の音を擬似的に発する音響発生装置とを備えており、実際の窓扉の開閉に応じた音響透過損失の違いによって変化する野外から室内へ伝搬する音の音量及び音色を擬似的に再現するように、前記擬似窓扉の開閉に応じて前記音響発生装置から前記室内に伝搬する音の音量及び音色を変化させることを特徴とする。
【００１０】
この発明においては、擬似窓扉の開閉に応じて音響発生装置から室内に伝搬する音の音量及び音色を変化させることで、実際の窓扉の開閉に応じた音響透過損失の違いによる実際の野外の音の音量及び音色の変化を擬似的に再現することができる。すなわち、実際の窓において、窓扉を閉じている場合には、野外の音が窓扉を透過する際にこの野外の音の周波数によって音響透過損失が異なる。このため、室内に伝搬した音は、音量のみならず音色も変化することになるが、本発明においては、擬似窓扉の開閉に応じて単に室内に伝搬する音の音量を変えるのみならず、実際の窓の音響透過損失に応じるように音色も変化させることで、確実に室内に伝搬する音を再現することができる。
【００１１】
また、本発明の擬似窓においては、前記擬似窓扉を閉じた状態で前記壁の裏側に向けて音を伝搬させ、前記擬似窓扉を開くとともに前記室内に向けて直接音を伝搬させるように、前記音響発生装置が前記擬似窓扉に取り付けられていることが望ましい。
【００１２】
この発明においては、擬似窓扉を閉じた状態で音響発生装置から発した音が壁の裏側に向けて伝搬することで、壁の裏側から擬似窓扉を透過した音が室内に伝搬することになる。これにより、擬似窓扉による音響透過損失に応じて音量及び音色が変化した音を室内に伝搬させることができるため、実際の窓扉を閉じた状態における野外から室内に伝搬する音を擬似的に再現することができる。また、擬似窓扉を開くとともに室内に向けて直接、画像表示装置で表示した野外の風景画像に応じて音響発生装置から発した音を伝搬させて、野外の風景画像に繋がる鮮明な音場を室内に形成することができ、実際の窓の窓扉を開いた状態を再現することができる。
【００１３】
さらに、本発明の擬似窓においては、前記擬似窓扉を閉じた状態で、実際の窓扉を閉じた状態における音響透過損失に応じた音の減衰特性を有するフィルタで音響信号を処理することによって、前記擬似窓扉を開いた状態に対し前記室内に伝搬する音の音量及び音色を変化させるようにしてもよい。
【００１４】
この発明においては、擬似窓扉を閉じた状態で、音響信号をフィルタで処理することによって、実際の窓扉が閉じられている状態の音響透過損失に応じて音量及び音色が変化した音を確実に再現して、音響発生装置から室内に伝搬させることができる。また、擬似窓扉を開いた状態では、音響信号をフィルタで処理することなく、実際の窓扉が開かれている状態の音を確実に再現して、音響発生装置から室内に伝搬させることができる。
【００１５】
本発明の擬似窓を有する壁においては、上記のいずれかに記載の擬似窓を備えたことを特徴とする。これにより、上記の擬似窓の効果を備えた壁を形成することができる。
【発明の効果】
【００１６】
本発明の擬似窓及び擬似窓を有する壁によれば、画像表示装置によって野外の風景をリアルに表示するとともに、この野外の風景画像に応じた音の擬似窓扉の開閉による変化をリアルに再現して、閉鎖性の高い室内の人間（体験者）に確実に臨場感を与えることができる。これにより、従来の擬似窓と比較し、室内の人間にあたかも実際の窓越しに野外の風景を眺めているような擬似体験をさせることができ、開放感や安らぎを与え、集中力の低下や眠気、くつろぎの不足などの心理的な悪影響を確実に防止できる。
【発明を実施するための最良の形態】
【００１７】
以下、図１から図８を参照し、本発明の第１実施形態に係る擬似窓及びこれを有する壁について説明する。本実施形態は、例えば、工場、発電所等のプラントの中央制御室や会議室等の閉鎖性の高い室や野外の眺望が限定される居室の壁に設けられる擬似窓及びこれを有する壁に関するものである。
【００１８】
本実施形態の擬似窓Ａは、図１及び図２に示すように、擬似窓枠１と擬似窓扉２（２ａ、２ｂ）と支持枠部材３と画像表示装置４とを備えて構成されている。また、この擬似窓Ａは、図２、図５から図８に示すように、隙間を空けて並設した二重壁（内壁Ｂ１と外壁Ｂ２）Ｂの室内Ｃ側の内壁Ｂ１に組み込んで設けられている。
【００１９】
擬似窓枠１は、例えば木製あるいは金属製で、矩形枠状に形成されている。また、この擬似窓枠１は、室内Ｃ（室内側の空間）と二重壁（Ｂ１、Ｂ２）の間の空間Ｂ３を連通させるように内壁Ｂ１に形成された矩形状の開口部Ｂ４に、擬似窓枠１の開口部１ａを重ねるようにして、内壁Ｂ１の内面に固設されている。
【００２０】
擬似窓扉２は、図１、図３及び図４に示すように、それぞれ同形同大に形成された一対の擬似窓扉部２ａ、２ｂからなり、各擬似窓扉部２ａ、２ｂは、矩形枠状の扉本体２ｃと、この扉本体２ｃの内周側の開口を埋めるように嵌め込まれたガラス２ｄとを備えて構成されている。また、擬似窓扉部２ａ、２ｂは、それぞれ、一対の縦枠部２ｅ、２ｆのうち一方の縦枠部２ｅが擬似窓枠１の縦枠部１ｂに、垂直方向に延びる回動軸を介して取り付けられている。このとき、一対の擬似窓扉部２ａ、２ｂは、それぞれ回動軸回りの室内Ｃ側に突出する方向に回動可能に設けられている。そして、このように設けられた一対の擬似窓扉部２ａ、２ｂは、内壁Ｂ１の内面に沿うように配置することで、すなわち図１、図３及び図４に示すように互いの他方の縦枠部２ｆ同士を対向させて近接配置することで擬似窓枠１の開口部１ａを閉塞し（閉じ）、回動軸回りの室内Ｃ側に突出する方向に回動させることで擬似窓枠１の開口部１ａを開放する（開ける）。
【００２１】
また、本実施形態の擬似窓扉２においては、図４に示すように、各擬似窓扉部２ａ、２ｂの他方の縦枠部２ｆが、上端側から下端側の上下に延設された断面コ字状の遮音部材５を備えて形成されている。そして、この遮音部材５は、各擬似窓扉部２ａ、２ｂを閉じた状態で、その開口側が内壁Ｂ１の裏側、すなわち外壁Ｂ２側（二重壁Ｂの間の空間Ｂ３側）に向くように設けられている。また、図３及び図４に示すように、遮音部材５の内部空間に上下に延びる細長形状のスピーカ（音響発生装置）６が収容されて、擬似窓扉部２ａ、２ｂ（擬似窓扉２）にそれぞれ１つずつのスピーカ６が取り付けられている。なお、遮音部材５の開口側に、この開口を閉塞させるような例えば布材などの低遮音性の材料を取り付け、遮音部材５の内部空間に収容したスピーカ６が外側に露出しないように構成してもよい。また、遮音部材５は、例えば金属、木材、樹脂材などの遮音性の高い材質で形成されていればよく、所望の遮音性を備えていれば特にその材質を限定する必要はない。
【００２２】
支持枠部材３は、矩形筒状に形成されており、図１、図２、図５から図８に示すように、一端が内壁Ｂ１の開口部Ｂ４を形成する内周縁に固定されて支持され、内壁Ｂ１の開口部Ｂ４ひいては擬似窓枠１の開口部１ａを外壁Ｂ２に向けて延出させるように設けられている。すなわち、この支持枠部材３は、一端が内壁Ｂ１に繋がった状態で、二重壁Ｂ（Ｂ１、Ｂ２）の間の空間Ｂ３に配置されている。
【００２３】
画像表示装置４は、例えば液晶ディスプレイあるいはプラズマディスプレイなどの薄型の画像表示装置であり、図１、図２、図５から図８に示すように、その表示部４ａを室内Ｃ側に向けて支持枠部材３の他端に取り付けられて支持されている。また、このとき、画像表示装置４は、擬似窓枠１の開口部１ａを室内Ｃ側から見た際に、表示部４ａで表示した野外の風景画像がこの開口部１ａ全面に表示されるように設けられている。
【００２４】
なお、この画像表示装置４とスピーカ６には、例えばＤＶＤプレーヤー等の図示せぬ再生装置が繋げられており、この再生装置で再生した野外の風景画像が画像表示装置４の表示部４ａに動画像（あるいは静止画像）として表示され、この野外の風景画像に応じた小鳥のさえずりあるいは小川のせせらぎ等の音（音響）がスピーカ６から発せられる。
【００２５】
ついで、上記の擬似窓Ａ及びこの擬似窓Ａを有する壁Ｂの作用及び効果について説明する。
【００２６】
本実施形態においては、図１、図５及び図６に示すように、一対の擬似窓扉部２ａ、２ｂを閉めた状態（擬似窓扉２を閉めた状態）で、再生装置によって野外の風景画像を再生すると画像表示装置４の表示部４ａに（擬似窓Ａに）野外の風景画像が表示される。そして、室内Ｃの人間（図６に示す体験者Ｍ）が、この画像表示装置４の表示部４ａに表示した野外の風景画像を、閉じた擬似窓扉部２ａ、２ｂのガラス２ｄ越しに見ることで、あたかも実際の窓越しに野外の風景を眺めているような擬似的な体験をすることになる。
【００２７】
しかしながら、このような野外の風景画像を見ただけでは、閉鎖性の高い室内Ｃの人間Ｍに対し開放感や安らぎを与え、集中力の低下や眠気、くつろぎの不足などの心理的な悪影響を防止する効果が低い。
【００２８】
これに対し、本実施形態においては、画像表示装置４で野外の風景画像を表示するとともに、この野外の風景画像に応じた小鳥のさえずりあるいは小川のせせらぎ等の音（音響）Ｋ１がスピーカ６から発せられる。このとき、図５及び図６に示すように、一対の擬似窓扉部２ａ、２ｂの他方の縦枠部２ｆに設けられた遮音部材５の内部空間にスピーカ６が収容され、この遮音部材５が、各擬似窓扉部２ａ、２ｂを閉じた状態でその開口側を内壁Ｂ１の裏側に向けられているため、スピーカ６から発した音Ｋ１が内壁Ｂ１の裏側に伝搬して音場を形成する。
【００２９】
そして、このようにスピーカ６から発生した音Ｋ１は、一対の擬似窓扉部２ａ、２ｂが閉じられているために、支持枠部材３の内部（画像表示装置４と擬似窓扉部２ａ、２ｂ（擬似窓扉２）の間の空間）でこもった状態となり、このような音Ｋ１が擬似窓扉２や擬似窓枠１を透過して室内Ｃに伝搬する。このため、室内Ｃに伝搬する音Ｋ２は、擬似窓扉２を透過することによって窓扉の音響透過損失に相当する音圧レベルの減衰が生じ、実際の窓扉を閉じた状態における野外から室内に伝搬する音のように、音量及び音色を変化させて室内Ｃに伝搬することになる。すなわち、実際の窓においては、閉じられた窓扉を野外の音が透過する際の音響透過損失（音圧レベルの減衰量）が音の周波数によって異なるため、野外の音は、音量のみならず音色も変化して室内Ｃに伝搬することになる。これに対し、本実施形態においては、スピーカ６によって内壁Ｂ１の裏側に音場を形成し、スピーカ６から発した音Ｋ１が擬似窓扉２を透過して室内Ｃに伝搬するため、実際の窓扉を透過して室内に伝搬する野外の音が擬似的に再現されて、音Ｋ２が室内Ｃに伝搬することになる。よって、画像表示装置４で表示した野外の風景画像を見ている室内Ｃの人間（体験者Ｍ）は、この野外の風景画像に応じてスピーカ６から発した小鳥のさえずりあるいは小川のせせらぎ等の音Ｋ１を、あたかも実際の窓の窓扉が閉じた状態で聞こえる野外の音であるものとして聞くことになり、臨場感のある（リアルな）疑似体験をすることになる。
【００３０】
一方、体験者Ｍが一対の擬似窓扉部２ａ、２ｂ（擬似窓扉２）を開いた場合には、図７及び図８に示すように、擬似窓扉部２ａ、２ｂを閉じた状態で内壁Ｂ１の裏側に向けられていた遮音部材５の開口側が室内Ｃ側を向くことになるため、この遮音部材５に収容したスピーカ６から発した音Ｋ１が、直接室内Ｃに放射されて伝搬することになる。このため、画像表示装置４で表示した野外の風景画像に応じてスピーカ６から発した音Ｋ１は、野外の風景画像に繋がる鮮明な音場を形成して室内Ｃに広がり、室内Ｃの体験者Ｍは、実際の窓の窓扉を開いたかのような擬似的な体験をすることになる。すなわち、実際の窓の窓扉を開いた際に聞こえる野外の音が再現される。
【００３１】
したがって、本実施形態の擬似窓Ａ及びこれを有する壁Ｂにおいては、擬似窓扉２の開閉に応じて単に室内Ｃに伝搬する音の音量を変えるのみならず、窓扉の音響透過損失に応じるように音色も変化させることができるため、確実に室内Ｃに伝搬する音を、実際の窓を通じて室内Ｃに伝搬する野外の音のように再現することができる。
【００３２】
このとき、擬似窓扉２を閉じた状態でスピーカ６から発した音Ｋ１を内壁Ｂ１の裏側に向けて伝搬させ、この音Ｋ１を内壁Ｂ１の裏側から擬似窓扉２を透過させて室内Ｃに伝搬させることによって、実際の窓扉を閉じた状態における野外から室内に伝搬する音のように、擬似窓扉２の音響透過損失に応じて音量と音色が変化した音Ｋ２を室内Ｃに伝搬させることが可能になる。また、擬似窓扉２を開くとともに室内Ｃに向けて直接、画像表示装置４で表示した野外の風景画像に応じた音Ｋ１を伝搬させることができるため、野外の風景画像に繋がる鮮明な音場を室内Ｃに形成して、実際の窓の窓扉を開いた状態を再現することができる。
【００３３】
よって、本実施形態の擬似窓Ａ及びこの擬似窓Ａを有する壁Ｂによれば、画像表示装置４によって野外の風景画像をリアルに表示するとともに、この野外の風景画像に応じた音の擬似窓扉２の開閉による変化をリアルに再現することができるため、閉鎖性の高い室内Ｃの人間（体験者Ｍ）に確実に臨場感を与えることができる。これにより、従来の擬似窓と比較し、室内Ｃの人間Ｍにあたかも実際の窓越しに野外の風景を眺めているような擬似体験を確実にさせることができ、開放感や安らぎを与え、集中力の低下や眠気、くつろぎの不足などの心理的な悪影響を確実に防止できる。
【００３４】
以上、本発明に係る擬似窓及びこの擬似窓を有する壁の第１実施形態について説明したが、本発明は上記の第１実施形態に限定されるものではなく、その趣旨を逸脱しない範囲で適宜変更可能である。例えば、本実施形態では、擬似窓Ａを有する壁Ｂが二重壁であるものとしたが、例えば一つの壁に擬似窓Ａ（画像表示装置４や支持枠部材３）を埋設して構成してもよく、また、集中制御室を例示した図９のように、室内スペースを区画する仕切壁Ｂに本発明に係る擬似窓Ａを設けてもよい。
【００３５】
また、本実施形態では、擬似窓扉２がそれぞれ回動可能に擬似窓枠１に取り付けられた一対の擬似窓扉部２ａ、２ｂで構成されているものとしたが、本発明に係る擬似窓扉は、１つあるいは複数の擬似窓扉部を備えて構成されていればよく、擬似窓扉２ａ、２ｂに取り付けたスピーカ（音響発生装置）６から発した音Ｋ１を、閉じた状態で壁Ｂ１の裏側に、開いた状態で室内Ｃ側に伝搬させることができれば、特にその構成を限定する必要はない。さらに、擬似窓扉部２ａ、２ｂは、矩形枠状の扉本体２ｃと、この扉本体２ｃの内周側の開口を埋めるように嵌め込まれたガラス２ｄとを備えて構成することに限定する必要はない。
【００３６】
また、本実施形態では、擬似窓扉２に取り付けられるスピーカ（音響発生装置）６が、一対の擬似窓扉部２ａ、２ｂのそれぞれの他方の縦枠部２ｆに設けられているものとしたが、例えば上下の横枠部に設けてもよく、スピーカ６から発した音Ｋ１を、閉じた状態で壁Ｂ１の裏側に、開いた状態で室内Ｃ側に伝搬させることができれば、特にスピーカ６の設置位置を限定する必要はない。
【００３７】
さらに、本実施形態では、断面コ字状の遮音部材５の内部空間にスピーカ（音響発生装置）６を収容して、このスピーカ６から発した音Ｋ１に指向性を付与しているが、スピーカ６自体が指向性を備えている場合には、必ずしも遮音部材５を設けなくてもよい。これに加えて、遮音部材５を用いる場合においても、その形状を断面コ字状に限定する必要はない。
【００３８】
ついで、図１０及び図１１を参照し、本発明の第２実施形態に係る擬似窓及びこれを有する壁について説明する。本実施形態は、第１実施形態と同様、例えば、工場、発電所等のプラントの中央制御室や会議室等の閉鎖性の高い室や野外の眺望が限定される居室の壁に設けられる擬似窓及びこれを有する壁に関するものである。よって、ここでは、第１実施形態に共通する構成に対して同一符号を付し、その詳細についての説明を省略する。
【００３９】
本実施形態の擬似窓Ｄは、図１０に示すように、第１実施形態と同様、擬似窓枠１と擬似窓扉２（２ａ、２ｂ）と支持枠部材３と画像表示装置４とを備えて構成されている。また、この擬似窓Ｄは、隙間を空けて並設した二重壁（内壁Ｂ１と外壁Ｂ２）Ｂの室内Ｃ側の内壁Ｂ１に組み込んで設けられている。
【００４０】
第１実施形態においては、スピーカ（音響発生装置）６が擬似窓扉２に取り付けられているものとしたが、本実施形態においては、左右一対のスピーカ１０が、それぞれ、擬似窓枠１の一対の縦枠部１ｂのそれぞれの外側且つ近傍に、これら縦枠部１ｂに沿って配置され、内壁Ｂ１に組み込んで固設されている。また、これらのスピーカ１０は、室内Ｃに向けて音を放射し伝搬させるようにして固設されている。
【００４１】
また、本実施形態においては、擬似窓扉２の開閉状態（各擬似窓扉部２ａ、２ｂの開閉状態）を検知するセンサー１１が支持枠部材３に設けられている。
【００４２】
さらに、図１１に示すように、画像表示装置４とスピーカ１０には、例えばＤＶＤプレーヤー等の再生装置１２が繋げられている。また、本実施形態では、再生装置１２と画像表示装置４が、再生装置１２で再生した野外の風景画像の画像信号を画像表示装置４に送る画像信号回路１３で繋げられ、再生装置１２から画像表示装置４にこの画像信号回路１３で送られた画像信号を基に、野外の風景画像が画像表示装置４の表示部４ａに表示される。
【００４３】
一方、再生装置１２とスピーカ１０は、再生装置１２で再生した野外の風景画像に応じた音響信号をスピーカ１０に送る音響信号回路１４で繋げられ、この音響信号回路１４は、擬似窓扉２の開閉状態に応じて切り替わる（すなわち擬似窓扉２の開閉状態を検知するセンサー１１の検知結果を受けて切り替わる）切替スイッチ１５と、パワーアンプ１６と、擬似窓扉２を閉じた状態で実際の窓扉を閉じた状態における音響透過損失に応じた音の減衰特性を有するフィルタ１７とを備えて構成されている。そして、音響信号回路１４は、切替スイッチ１５によって切り替わる第１音響信号回路１４ａと第２音響信号回路１４ｂとを備え、第１音響信号回路１４ａは、擬似窓扉２が開いた状態において再生装置１２とスピーカ１０を繋ぐ回路であり、再生装置１２からの音響信号を、パワーアンプ１６を通じてスピーカ１０に送るように形成されている。
【００４４】
一方、第２音響信号回路１４ｂは、擬似窓扉２が閉じた状態において再生装置１２とスピーカ１０を繋ぐ回路であり、再生装置１２からの音響信号をフィルタ１７によって処理し、すなわち実際の窓扉を野外の音が透過する際の音響透過損失に応じて、スピーカ１０から室内Ｃに発する音の音量及び音色を変えるように、音響信号をフィルタ１７によって処理し、このフィルタ１７で処理した後の音響信号を、パワーアンプ１６を通じてスピーカ１０に送るように形成されている。なお、フィルタ１７は、アナログフィルタ、ディジタルフィルタのいずれを用いてもよい。
【００４５】
上記のように構成した本実施形態の擬似窓Ｄにおいては、一対の擬似窓扉部２ａ、２ｂを閉めた状態（擬似窓扉２を閉めた状態）で、再生装置１２によって野外の風景画像を再生すると画像表示装置４の表示部４ａに（擬似窓Ａに）野外の風景画像が表示される。そして、室内Ｃの人間Ｍが、この画像表示装置４の表示部４ａに表示した野外の風景画像を、閉じた擬似窓扉部２ａ、２ｂのガラス２ｄ越しに見ることで、あたかも実際の窓越しに野外の風景を眺めているような擬似的な体験をすることになる。
【００４６】
また、このとき、一対の擬似窓扉部２ａ、２ｂが閉じていることをセンサー１１が検知しており、このセンサー１１の検知結果に基づき、切替スイッチ１５によって再生装置１２とスピーカ１０が音響信号回路１４の第２音響信号回路１４ｂで繋げられている。このため、再生装置１２で再生した野外の風景画像に応じ、再生装置１２から出力された音響信号は、実際の窓扉を野外の音が透過する際の音響透過損失に応じてスピーカ１０から室内Ｃに発せられる音の音量及び音色を変えるように、フィルタ１７によって処理される。
【００４７】
これにより、入力した音響信号を基にスピーカ１０から発せられ室内Ｃに伝搬する音は、実際の窓扉を閉じた状態における野外から室内に伝搬する音のように、音量及び音色を変化させて室内Ｃに伝搬することになる。よって、画像表示装置４で表示した野外の風景画像を見ている室内Ｃの人間（体験者Ｍ）は、この野外の風景画像に応じてスピーカ１０から発した小鳥のさえずりあるいは小川のせせらぎ等の音を、あたかも実際の窓の窓扉が閉じた状態で聞こえる野外の音であるものとして聞くことになり、臨場感のある（リアルな）疑似体験をすることになる。
【００４８】
一方、体験者Ｍが一対の擬似窓扉部２ａ、２ｂ（擬似窓扉２）を開いた場合には、これを検知したセンサー１１の検知結果を受けて、切替スイッチ１５が切り替わり、音響信号回路１４が第２音響信号回路１４ｂから第１音響信号回路１４ａに切り替わる。そして、再生装置１２から出力された音響信号は、フィルタ１７によって処理されることなく、そのままパワーアンプ１６を通じてスピーカ１０に送られる。これにより、スピーカ１０から発した音は、音量及び音色を調整することなく、室内Ｃに放射されて伝搬することになる。このため、画像表示装置４で表示した野外の風景画像に応じてスピーカ１０から発した音は、野外の風景画像に繋がる鮮明な音場を形成して室内Ｃに広がり、室内Ｃの体験者Ｍは、実際の窓の窓扉を開いたかのような擬似的な体験をすることになる。すなわち、実際の窓の窓扉を開いた際に聞こえる野外の音が再現される。
【００４９】
したがって、本実施形態の擬似窓Ｄ及びこれを有する壁Ｂにおいては、擬似窓扉２の開閉に応じて単に室内Ｃに伝搬する音の音量を変えるのみならず、実際の窓扉の音響透過損失に応じるように音色も変化させることができるため、確実に室内Ｃに伝搬する音を、実際の窓を通じて室内に伝搬する野外の音のように再現することができる。
【００５０】
また、このとき、擬似窓扉２を閉じた状態で、音響信号をフィルタ１７で処理することによって、実際の窓扉が閉じられている状態の音響透過損失に応じて音量及び音色が変化した音を確実に再現でき、擬似窓扉２を開いた状態で、音響信号をフィルタ１７で処理することなく、実際の窓扉が開かれている状態の音量及び音色が変化しない音を再現できるため、すなわち、フィルタ１７による処理の有無によって室内Ｃに伝搬する音の音量及び音色を調整できるため、スピーカ１０を内壁Ｂ１に組み込み、室内Ｃに向けて音を放射するように固設した場合においても、確実に、実際の窓扉が開閉された状態を再現して、室内Ｃに音を伝搬させることができる。
【００５１】
さらに、フィルタ１７の減衰特性は任意に設計できるため、擬似窓扉２の材質などに係らず、すなわち擬似窓扉２の音の透過性などの物性に係らず、所望の窓扉を透過した野外の音を容易に再現することができる。
【００５２】
よって、本実施形態の擬似窓Ｄ及びこの擬似窓Ｄを有する壁Ｂによれば、画像表示装置４によって野外の風景画像をリアルに表示するとともに、この野外の風景画像に応じた音の擬似窓扉２の開閉による変化をリアルに再現することができるため、閉鎖性の高い室内Ｃの人間（体験者Ｍ）に確実に臨場感を与えることができる。これにより、従来の擬似窓と比較し、室内Ｃの人間Ｍにあたかも実際の窓越しに野外の風景を眺めているような擬似体験を確実にさせることができ、開放感や安らぎを与え、集中力の低下や眠気、くつろぎの不足などの心理的な悪影響を確実に防止できる。
【００５３】
以上、本発明に係る擬似窓の第２実施形態について説明したが、本発明は上記の第２実施形態に限定されるものではなく、第１実施形態に示した変形例を含め、その趣旨を逸脱しない範囲で適宜変更可能である。例えば、本実施形態では、スピーカ（音響発生装置）１０が、擬似窓枠１の一対の縦枠部１ｂのそれぞれの外側且つ近傍に、これら縦枠部１ｂに沿って配置され、内壁Ｂ１に組み込んで固設されているものとしたが、スピーカ１０の設置位置は特に限定を必要とするものではなく、壁Ｂの任意の位置に設けたり、壁Ｂと体験者Ｍの間に設けられていてもよい。
【００５４】
また、本実施形態では、擬似窓扉２（擬似窓扉部２ａ、２ｂ）の開閉状態を、支持枠部材３に設けたセンサー１１によって検知するものとしたが、擬似窓扉２（擬似窓扉部２ａ、２ｂ）の開閉状態を確実に検知することができ、この検知結果を基に音響信号回路１４の切替スイッチ１５を確実に切り替えることができれば、特にセンサー１１の設置位置や構成を限定する必要はない。
【００５５】
さらに、本実施形態の擬似窓Ｄは、第１実施形態で示した擬似窓Ａのように擬似窓扉２（擬似窓扉部２ａ、２ｂ）の開閉によってスピーカの指向性を変化させて、音の音量及び音色を変化させるものではないため、擬似窓扉２が回動可能に設けられている必要はなく、いわゆる内開きの擬似窓扉２を備える必要はなく、例えば擬似窓扉２が壁Ｂに沿う方向に進退可能に設けられて開口部１ａを開閉するように構成してもよく、特に擬似窓扉２の構成を限定する必要はない。
【図面の簡単な説明】
【００５６】
【図１】本発明の第１実施形態に係る擬似窓及びこれを有する壁を室内側から見た図である。
【図２】本発明の第１実施形態に係る擬似窓の画像表示装置を示す図である。
【図３】本発明の第１実施形態に係る擬似窓の擬似窓扉を示す斜視図である。
【図４】図３のＸ−Ｘ線矢視図である。
【図５】本発明の第１実施形態に係る擬似窓の擬似窓扉を閉じた状態における音響発生装置から発した音の伝搬状態を示す平面視図である。
【図６】図５のＸ−Ｘ線矢視図である。
【図７】本発明の第１実施形態に係る擬似窓の擬似窓扉を開いた状態における音響発生装置から発した音の伝搬状態を示す平面視図である。
【図８】図７のＸ−Ｘ線矢視図である。
【図９】本発明の第１実施形態に係る擬似窓を有する壁の変形例を示す図である。
【図１０】本発明の第２実施形態に係る擬似窓及びこれを有する壁を室内側から見た図である。
【図１１】本発明の第２実施形態に係る擬似窓の画像信号回路と音響信号回路を示す図である。
【符号の説明】
【００５７】
１      擬似窓枠
１ａ    開口部
２      擬似窓扉
２ａ    擬似窓扉部
２ｂ    擬似窓扉部
３      支持枠部材
４      画像表示装置
４ａ    表示部
５      遮音部材
６      スピーカ（音響発生装置）
１０    スピーカ（音響発生装置）
１１    センサー
１２    再生装置
１３    画像信号回路
１４    音響信号回路
１４ａ  第１音響信号回路
１４ｂ  第２音響信号回路
１５    切替スイッチ
１６    パワーアンプ
１７    フィルタ
Ａ      擬似窓
Ｂ      二重壁（壁）
Ｂ１    内壁
Ｂ２    外壁
Ｂ３    二重壁の隙間（空間）
Ｂ４    開口部
Ｃ      室内
Ｄ      擬似窓
Ｋ１    スピーカから発した音
【図１】
2008297803.tif 000003
【図２】
2008297803.tif 000004
【図３】
2008297803.tif 000005
【図４】
2008297803.tif 000006
【図５】
2008297803.tif 000007
【図６】
2008297803.tif 000008
【図７】
2008297803.tif 000009
【図８】
2008297803.tif 000010
【図９】
2008297803.tif 000011
【図１０】
2008297803.tif 000012
【図１１】
2008297803.tif 000013